(57)【特許請求の範囲】
【請求項１】
片面にシリンドリカルレンズが並設されたレンチキュラーシートの他面の平坦面に、各シリンドリカルレンズの非集光部に相当する位置に遮光ストライプパターンを形成するために用いられる露光装置であり、周囲に一様な強度分布の光線を発する円筒状の光源と、光源の円筒形状と同心円状にレンチキュラーシートを湾曲させて密着保持させるように、前記光源を中心として配置されるレンチキュラーシート保持部、とから構成されるレンチキュラーシート露光装置において、前記光源の円筒面の周囲に中空を介して、同心円状に拡散層を設けた円筒状の光源を備えたこと特徴とするレンチキュラーシート露光装置。
【発明の詳細な説明】
【０００１】
【発明の属する技術分野】
本発明は、レンチキュラーシートの平坦面（非レンズ部側）に、遮光パターンを形成するために用いられる露光装置に関する。
【０００２】
【従来の技術】
レンチキュラーシートを透過型プロジェクションテレビ用スクリーンに適用する際、コントラストを向上させるために、各シリンドリカルレンズの非集光部に相当する位置に遮光パターン（ブラックストライプ。以下、ＢＳと称する）を形成することが従来より行なわれている。
【０００３】
ＢＳの形成方法としては、オフセット，グラビア，スクリーンなどの各種印刷法が慣用的に用いられているが、印刷法では、画線部が光吸収部（ＢＳ）となるような位置精度の高い印刷版の作製を要し、レンチキュラーシートのシリンドリカルレンズ（アレイ）が微細化したり、レンチキュラーシートが大型化すると、印刷版の作製および見当（位置）合わせが一層困難となる。
【０００４】
通常の印刷法以外の遮光パターンの形成方法で、印刷版を要することなく、レンズシートの背面に確実な位置精度で遮光パターンを形成する方法として、下記の手法が公知である。
【０００５】
一例として、本出願人によって下記の提案がなされている。
＜特開平１０−０９０７９８号＞
片面にシリンドリカルレンズが並設されたレンチキュラーシートの他面の平坦面に、紫外線線硬化型樹脂層（ポジ形感光性粘着剤と同義）を形成した該レンチキュラーシートを、周囲に一様な強度分布の光線を発する円筒状の光源と、円筒形状と同心円状に、光源を中心として湾曲させて密着保持させるように、前記光源を中心として配置されるレンチキュラーシート保持部（図示せず）、とから構成されるレンチキュラーシート露光装置であり、シリンドリカルレンズの並設方向に移動させながら、円筒形状の中心に位置する円筒光源の紫外線光を、シリンドリカルレンズ側からレンチキュラーシートの他面の平坦面に対して垂直に照射して、前記レンチキュラーシートの各シリンドリカルレンズによって集光された部分の紫外線硬化型樹脂層を硬化させ、非集光部の未硬化の前記樹脂層の粘着性を利用して、未硬化部分にのみ黒色の着色剤を形成して、非集光部に相当する位置に遮光ストライプパターンを形成するレンチキュラーシート露光装置が提案されている。
【０００６】
上記の提案によれば、レンチキュラーシートの全てのシリンドリカルレンズに対して同様な位置にＢＳを形成でき、さらには、光源からの光を有効利用でき、必要な露光量とするための露光時間の短縮が図れる露光装置を提供することを目的とするものである。
【０００７】
透過型プロジェクションスクリーンに要求されるレンチキュラーシートによっては、所望の露光速度、ＢＳの幅、ＢＳの形状精度に応じて、照射光の適宜コリメーション角θを設定する必要がある。しかし、上記提案では、そのためにコリメーション角θを設定する具体的な光源およびその構造等については一切開示されていない。
【０００８】
【発明が解決しようとする課題】
本発明は、露光プロセスを改良することを目的とし、透過型プロジェクションスクリーン用レンチキュラーシートにＢＳを形成する際の露光速度、ＢＳの幅、ＢＳの形状精度に応じて、多品種のレンチキュラーシートの生産条件に対応ができ、生産性に優れた露光装置を提供することを目的とする。
【０００９】
【課題を解決するための手段】
本発明のレンチキュラーシート露光装置は、
片面にシリンドリカルレンズが並設されたレンチキュラーシートの他面の平坦面に、各シリンドリカルレンズの非集光部に相当する位置に遮光ストライプパターンを形成するために用いられる露光装置であり、周囲に一様な強度分布の光線を発する円筒状の光源と、光源の円筒形状と同心円状にレンチキュラーシートを湾曲させて密着保持させるように、前記光源を中心として配置されるレンチキュラーシート保持部、とから構成されるレンチキュラーシート露光装置において、前記光源の円筒面の周囲に中空を介して、同心円状に拡散層を設けた円筒状の光源を備えたことをことを特徴とするレンチキュラーシート露光装置である。
【００１０】
【発明の実施の形態】
本発明の実施の形態について図に基づいて説明をする。
図１において、（ａ）は、本発明のレンチキュラーシート露光装置の概念図である。（ｂ）は、レンチキュラーシート露光装置に備えられた本発明の円筒面の周囲に中空を介して、同心円状に拡散層を設けた円筒状の光源の拡大断面図である。
円筒状光源１１を中心に、同心円状に順次、水冷内管１２と水冷外管１４とからなる冷却管の中を冷却水１３が通っており、中空１５を介して、拡散層１６からなる構造の円筒状の光源１０である。拡散層を設けた構造により、仮に光源の径が小さくとも、光源の周囲の拡散層によって、太い光源と同等の機能を有することになる。また、拡散円筒径を変えることによって、コリメーション角を調整できる。
本発明における拡散層は、紫外線透過性のアクリル樹脂、石英ガラス、パイレックスガラス等の表面に粗面化処理を施したものを使用できる。粗面化の方法は、特に限定されるものではなく、公知公用の方法が適用できる。
【００１１】
図２は、本発明の実施形態を示す説明図である。以下、同図に基づいて詳細に説明する。
図２−（ａ）…レンチキュラ−シ−トの平坦面への紫外線硬化型樹脂層の形成。
片面にシリンドリカルレンズ４２が並設され、他面が平坦であるレンチキュラ−シ−ト４１の平坦面に、未硬化状態で粘着性を有するフォトポリマー（紫外線硬化型樹脂）４３を形成し、その上に保護層４４（フォトポリマーの粘着部分を覆う）を積層したＢＳ形成用レンチキュラ−シ−ト４０を得る。
レンチキュラ−シ−ト４１としては、アクリル樹脂、塩化ビニル樹脂、カーボネート樹脂などの透明な熱可塑性樹脂を任意の方法で成形したものでも良いし、または、ＵＶ硬化型樹脂やＥＢ硬化型樹脂などの電離放射線硬化型樹脂を用いた前記樹脂の硬化物からなるものでも良い。
【００１２】
本説明においては、下記のものを使用する。
＜レンチキュラーシート＞
厚さ１．０mmの透明基材（材質；アクリル）上に、ＵＶ硬化型樹脂（材質；エポキシアクリレート系）の硬化物からなるシリンドリカルレンズ群を形成して、両者を重合接着させたもの。
シリンドリカルレンズのピッチ０．４mm，球面半径０．３５mm，レンズ部厚さ０．０６３mm，サイズ１２０cm×９０cm。
【００１３】
＜フォトポリマー＞
クロマリンフィルム（デュポン社製商品名）
【００１４】
＜保護層＞
マイラーフィルム
【００１５】
図２−（ｂ）…レンチキュラーシートへの紫外線の露光
上記で得られたＢＳ形成用レンチキュラーシート４０を本発明の露光装置にて、シリンドリカルレンズ４２の並設方向に移動させながら、未硬化状態の前記樹脂層（フォトポリマー）４３に、シリンドリカルレンズ４２側より紫外線を露光する。
前記露光装置は、図１に示したように光源の円筒面の周囲に中空１５を介して、同心円状に拡散層１６を設けた円筒状の紫外線の光源１１と、光源の円筒形状と同心円状にＢＳ形成用レンチキュラーシート２０を湾曲させて密着保持させるように、前記光源を中心として配置されるレンチキュラーシート保持部（図示せず）、とから構成される。
同図では、光源からの光を「絞り」３０、３０´に相当するもので照射範囲Θを調整しているが、それによって、ＢＳを形成する領域を制御している。
また、ＢＳの線幅は露光時間によって制御できる。
【００１６】
＜露光条件＞
使用光源…近紫外線水銀灯（出力１３ｋＷ、１２０Ｗ／cm、管径２５ｍｍ）
【００１７】
上記で得られた露光されたＢＳ形成用レンチキュラーシート５０は、図２（ｃ）に示すように、シリンドリカルレンズ５２のレンズ機能によって、前記樹脂層５３の集光された部分５３（2 ）を硬化させ、その部分を非粘着性とする。
レンズ機能によって集光されない部分の前記樹脂層５３（1 ）は、粘着性を有したままである。
【００１８】
露光済みのレンチキュラーシート５０を装置から外し、レンチキュラーシート保護層を剥離して、ＢＳ形成用レンチキュラーシート５０を得る。
【００１９】
図２−（ｄ）…ＢＳの形成工程
上記で得られた露光済みのＢＳ形成用レンチキュラーシート５０の粘着性を有する状態の樹脂層５３(1) を所望の方法により黒色に着色する。
着色方法としては、転写シート６０の転写インキ層６２（黒色）を樹脂層５３に重ね合わせ、粘着性を有する樹脂層５３(1) のみに前記インキ層６２を転写形成し、非粘着性の樹脂層５３(2) には前記インキ層６２を転移させない方法が挙げられる。
または、カーボンブラックの黒色トナーを平坦面５３の全面に散布し、非粘着性の樹脂層５３(2) に散布された黒色トナーを除去し、粘着性の樹脂層５３(1) にのみ黒色トナーを付着させる方法を採用しても良い。
【００２０】
次いで、前記樹脂層５３の全面に紫外線を照射して、未硬化の前記樹脂層５３(1) を硬化せしめ、前記樹脂層５３の全面を完全に硬化させる。（図示せず）
または、形成したＢＳ７０が剥離しないように、遮光パターンの上から感光性フィルムをラミネートして、紫外線を照射して前記フィルムを硬化させ、ＢＳ７０の保護層としても良い。
【００２１】
ＢＳの保護層としては、光を拡散させて視野領域を拡げる（レンズシートの平坦面側から観察する）ために、拡散性を有する保護層を形成しても良い。（図示せず）
拡散性を有する保護層の例としては、樹脂に酸化珪素、酸化チタンなどの無機の微粉末を混合するタイプのものが挙げられる。
【００２２】
最後に、具体例として、本発明の拡散層ｄ＝３０ｍｍを設けた円筒状の紫外線の光源の中心ランプ１１の有効発光径が２０ｍｍのものを使用した。円筒面の周囲に中空を介して設けた拡散層までの円筒径ｒ＝１６０ｍｍ、光源１１の中心からレンチキュラーシートのワークまでの距離L ＝２０００ｍｍとして、露光照射範囲Θ＝６０度になり、コリメーション角θ＝４．５度が実現できた。１７００ｍｍ幅のＢＳを形成したレンチキュラースクリーンが製造できることが確認された。
また、露光量５ｍＷ／ｃｍ2   、レンズの流れ方向に、絞り３０、３０′間に相当する照射幅１０００ｍｍを設けることにより、ＢＳ率（レンチキュラーレンズの開口幅に対するＢＳ幅の比率）７０％のものが３ｍ／ｍｉｎのラインスピードで露光されることが確認された。さらに、ラインスピードを調整することにより、ＢＳ率５０〜８０％の範囲でＢＳ幅の制御が可能となることが確認できた。
【００２３】
【発明の効果】
本発明による効果を以下に列挙する。
( １) 本発明の露光装置によれば、全てのシリンドリカルレンズに対して、シリンドリカルレンズ側からレンチキュラーシートの全面に平行光を一括的に照射するのと同等に機能することになり、シリンドリカルレンズ毎に等しい位置にＢＳを形成できる。
( ２) 形成されるＢＳは、実際のレンチキュラーシートへの紫外線線の照射による非集光部に対してであるため、真にＢＳの形成が必要な箇所に、確実な位置精度で遮光パターン形成が行なわれる。
( ３) 光源の円筒面に拡散層の拡散度の異なる光源を用意することによって、照射光のコリメーション角を調節することにより、ＢＳを形成する際の露光速度、ＢＳの幅、ＢＳの形状精度に応じて、１台の露光装置で多品種のレンチキュラーシートの生産条件に対応ができ、生産性に優れた露光装置を提供することをができる。
【図面の簡単な説明】
【図１】（ａ）本発明のレンチキュラーシート露光装置の概念図。
（ｂ）本発明の円筒状の光源の断面図。
【図２】本発明によるＢＳの形成方法を工程順に示す説明図。
【符号の説明】
１０…本発明の円筒状光源
１１…ランプ
１２…水冷内管
１３…冷却水
１４…水冷外管
１５…中空
１６…拡散層
２０、４０、５０…ＢＳ形成用レンチキュラーシート
３０、３０´…絞り
４１…レンチキュラシート
４２…シリンドリカルレンズ
４３…紫外線硬化型樹脂層
４４…保護層
４３(1) 、５３(1) …未硬化の紫外線硬化型樹脂層
４３(2) 、５３(2) …硬化した紫外線硬化型樹脂層
６０…転写シート
６１…基材
６２…着色剤
d…拡散層の厚さ
L…光源の中心からレンチキュラーシートまでの距離
r…光源の中心から拡散層までの円筒半径
θ…コリメーション角
Θ…露光照射範囲
【図１】
0003988289.tif 000002
【図２】
0003988289.tif 000003